(57)【要約】【課題】ヤレ紙が発生した後に出力される用紙中に、正常な印刷物が存在する場合に、当該印刷物を無駄にしないようにすることができる画像形成装置および画像形成方法を提供する。【解決手段】画像読取センサ１０１，１０２による読取結果に基づいて、用紙の画像が異常画像の場合に当該用紙をヤレ紙として検知し、ヤレ紙を検知したとき、ヤレ紙の印刷ジョブから再印刷を行う画像形成装置１において、ヤレ紙の検知から再印刷を行うまでの間に出力される用紙中に正常画像の用紙が含まれている場合に、当該正常画像の用紙を正常な印刷物として活用し、無駄にしないようにする。【選択図】図１
2018194580.tif 000002
【特許請求の範囲】
【請求項１】
画像形成後の用紙の画像を読み取る画像読取センサと、
前記画像読取センサによる読取結果に基づいて、前記用紙の画像が異常画像の場合に当該用紙をヤレ紙として検知するヤレ紙検知部と、
前記ヤレ紙検知部が前記ヤレ紙を検知したとき、前記ヤレ紙の印刷ジョブから再印刷を行うための制御を行う制御部と、
を備える画像形成装置であって、
前記制御部は、前記ヤレ紙の検知から前記再印刷を行うまでの間に出力される用紙中に正常画像の用紙が含まれる場合に、当該正常画像の用紙を正常な印刷物として活用するための制御を行う
ことを特徴とする画像形成装置。
【請求項２】
前記制御部は、前記ヤレ紙の検知によって印刷ジョブを停止する場合、前記再印刷を行う際に、前記ヤレ紙の印刷ジョブについては再印刷を行い、前記正常画像の用紙については印刷ジョブを停止して、ユーザに対して出力済みの用紙を挿入するようにメッセージを表示する
ことを特徴とする請求項１に記載の画像形成装置。
【請求項３】
前記制御部は、前記メッセージと共に、挿入する用紙の画像を表示する
ことを特徴とする請求項２に記載の画像形成装置。
【請求項４】
前記制御部は、前記ヤレ紙の検知後も印刷ジョブを継続し、前記ヤレ紙の目印となる仕切り紙を挿入して、前記ヤレ紙の印刷ジョブのみ再印刷し、前記仕切り紙には印刷ジョブ完了後に取り除く用紙と、挿入する用紙のページを印刷して出力する
ことを特徴とする請求項１に記載の画像形成装置。
【請求項５】
画像形成後の用紙の画像を読み取る画像読取センサと、
前記画像読取センサによる読取結果に基づいて、前記用紙の画像が異常画像の場合に当該用紙をヤレ紙として検知するヤレ紙検知部と、
を備え、
前記ヤレ紙検知部が前記ヤレ紙を検知したとき、前記ヤレ紙の印刷ジョブから再印刷を行う画像形成装置において、
前記ヤレ紙の検知から前記再印刷を行うまでの間に出力される用紙中に正常画像の用紙が含まれる場合に、当該正常画像の用紙を正常な印刷物として活用する
ことを特徴とする画像形成方法。
【発明の詳細な説明】
【技術分野】
【０００１】
本発明は、画像形成装置および画像形成方法に関し、特に、電子写真方式の画像形成装置及び画像形成方法に関する。
【背景技術】
【０００２】
感光体に形成したトナー像を記録媒体の一例である用紙に転写し、トナー像が転写された用紙を高温の定着部において加熱・加圧することによってトナー像を用紙に定着させる電子写真方式の画像形成装置が普及している。電子写真方式の画像形成装置は、複写機、プリンタ装置、ファクシミリ装置、印刷機、複合機等に適用される。
【０００３】
この種の画像形成装置では、経時的に定着部がトナーで汚れたり、用紙のジャムによって定着部にトナーが付着したりする場合がある。このような状態下において、定着部を用紙が通過すると、定着部のトナーが用紙に付着して汚れとなる。そして、トナーが付着して汚れた用紙は、所謂ヤレ紙（損紙）として扱われる。また、表裏印刷において、画像形成位置がずれたり、経時的に画像濃度が変化したりすることがある。これらの位置ずれや画像濃度の変化などは、その程度によっては、印刷された画像の不良として印刷品質を低下させる。このとき出力される用紙も、ヤレ紙として扱われる。
【０００４】
印刷された画像の不良発生（ヤレ紙の発生）に対処する技術として、特許文献１に記載の技術がある。特許文献１には、「不良の判定がなされた場合、その時点で仕掛かっている印刷ジョブは継続し、これが終了した後印刷動作を中止する画像形成装置である。不良が判定された後、仕掛かり途中であった印刷ジョブについても、印刷された画像に対し検査を行う。最初の不良判定後、不良が判定されなかった場合、画像形成装置の異常によるものではなく、偶発的なものであると判定することができる。」と記載されている。
【先行技術文献】
【特許文献】
【０００５】
【特許文献１】特開２００８−１２２４６６号公報
【発明の概要】
【発明が解決しようとする課題】
【０００６】
ところで、ヤレ紙が発生したとき、印刷ジョブを停止し、ユーザにヤレ紙を除去してもらい、再スタートによってヤレ紙の印刷ジョブから印刷を再開することになる（リカバリ動作）。このとき、複数の印刷ジョブを連続して印刷する連続印刷の場合、ヤレ紙が発生したときからジョブ停止までの間に、ヤレ紙に連続する複数枚の用紙に対しても印刷が行われ、これらの複数枚の用紙もヤレ紙と共に排紙トレイに出力されることになる。
【０００７】
そして、ヤレ紙が発生したジョブから印刷を再開するリカバリ動作時には、当該リカバリ動作が行われる用紙に連続する複数枚の用紙に対してもリカバリ動作が行われることになる。これにより、リカバリ動作の際には、ヤレ紙の発生からジョブ停止までの間に出力される複数枚の用紙と同じ画像が印刷されて出力されることになる。このとき、ヤレ紙の発生からジョブ停止までの間に、ヤレ紙に連続して出力された複数枚の用紙が正常な印刷物である場合に、当該複数枚分の用紙が無駄になってしまう。
【０００８】
そこで、本発明は、ヤレ紙が発生した後に出力される用紙中に、正常な印刷物が存在する場合に、当該印刷物を無駄にしないようにすることができる画像形成装置および画像形成方法を提供することを目的とする。
【課題を解決するための手段】
【０００９】
上記目的を達成するために、本発明の画像形成装置は、
画像形成後の用紙の画像を読み取る画像読取センサと、
画像読取センサによる読取結果に基づいて、用紙の画像が異常画像の場合に当該用紙をヤレ紙として検知するヤレ紙検知部と、
ヤレ紙検知部がヤレ紙を検知したとき、ヤレ紙の印刷ジョブから再印刷を行うための制御を行う制御部と、
を備える画像形成装置である。そして、この画像形成装置において、
制御部は、ヤレ紙の検知から再印刷を行うまでの間に出力される用紙中に正常画像の用紙が含まれる場合に、当該正常画像の用紙を正常な印刷物として活用するための制御を行う
ことを特徴とする。
【００１０】
また、本発明の画像形成方法は、
画像形成後の用紙の画像を読み取る画像読取センサと、
画像読取センサによる読取結果に基づいて、用紙の画像が異常画像の場合に当該用紙をヤレ紙として検知するヤレ紙検知部と、
を備え、
ヤレ紙検知部がヤレ紙を検知したとき、ヤレ紙の印刷ジョブから再印刷を行う画像形成装置において、
ヤレ紙の検知から再印刷を行うまでの間に出力される用紙中に正常画像の用紙が含まれる場合に、当該正常画像の用紙を正常な印刷物として活用する
ことを特徴とする。
【００１１】
上記構成の画像形成装置あるいは画像形成方法において、ヤレ紙の検知から再印刷を行うまでの間に出力される用紙中に正常画像の用紙（正常な印刷物）が含まれる場合に、当該正常画像の用紙を破棄せず、正常な印刷物として活用し、ヤレ紙が発生した後に出力される正常画像の用紙を無駄にしないようにする。
【発明の効果】
【００１２】
本発明によれば、ヤレ紙が発生した後に出力される用紙中に、正常な印刷物が存在する場合に、当該印刷物を無駄にしないようにすることができる。
【図面の簡単な説明】
【００１３】
【図１】本発明が適用される画像形成システムの構成の概略を示すシステム構成図である。
【図２】本発明の一実施形態に係る画像形成装置の各部のハードウェア構成の一例を示す全体構成図である。
【図３】画像形成装置の制御系の構成の一例を示すブロック図である。
【図４】ヤレ紙検知時の従来例に係る停止パターンの処理動作の説明図である。
【図５】ヤレ紙検知時の従来例に係る継続パターンの処理動作の説明図である。
【図６】ヤレ紙検知時の実施例１に係る停止パターンの処理動作の一例の説明図である。
【図７】ヤレ紙検知時の実施例２に係る停止パターンの処理動作の一例の説明図である。
【図８】ヤレ紙検知時の実施例３に係る停止パターンの処理動作の一例の説明図である。
【図９】ヤレ紙検知時の実施例４に係る継続パターンの処理動作の一例の説明図である。
【図１０】ヤレ紙検知時の実施例５に係る停止パターンの処理動作の一例の説明図である。
【図１１】実施例６に係る画像形成方法の制御の流れの一例を示すフローチャートである。
【発明を実施するための形態】
【００１４】
以下、本発明を実施するための形態（以下、「実施形態」と記述する）について図面を用いて詳細に説明する。本発明は実施形態に限定されるものではない。なお、以下の説明や各図において、同一要素または同一機能を有する要素には同一符号を用いることとし、重複する説明は省略する。
【００１５】
＜本発明が適用される画像形成システム＞
図１は、本発明が適用される画像形成システムの構成の概略を示すシステム構成図である。図１に示すように、本適用例に係る画像形成システム１００は、画像形成装置１と、給紙装置２と、画像読取装置３と、後処理装置４と、外部装置５とを有する構成となっている。画像形成装置１は、本発明の画像形成装置の一例であり、その構成等の詳細については後述する。
【００１６】
給紙装置２は、画像形成装置１が内蔵する用紙収納部２０とは別に、画像形成装置１の外部に備えられ、様々な種類の記録媒体（例えば、用紙）を画像形成装置１に供給する大容量給紙装置である。
【００１７】
画像読取装置３は、画像形成装置１での画像形成後の記録媒体の画像を読み取る装置である。画像読取装置３は、記録媒体の第１面の画像を、記録媒体の例えば下面側から読み取る第１画像読取センサ１０１と、記録媒体の第２面の画像を、記録媒体の例えば上面側から読み取る第２画像読取センサ１０２とを備えている。第１画像読取センサ１０１及び第２画像読取センサ１０２としては、例えば、少なくとも記録媒体の最大幅の長さに亘って感光部（画素）が一直線に配置されたＣＣＤ型やＣＭＯＳ型などのイメージセンサからなるインラインセンサを用いることができる。
【００１８】
なお、本例では、画像読取装置３の第１画像読取センサ１０１及び第２画像読取センサ１０２を画像形成装置１の外部に設ける構成としているが、画像形成装置１の内部に設ける構成とすることも可能である。また、ここでは、画像形成装置１が両面印刷の場合を例示しているが、片面印刷の場合は、第１画像読取センサ１０１及び第２画像読取センサ１０２のいずれか一方を備える構成となる。
【００１９】
後処理装置４は、画像形成装置１から画像読取装置３を経て出力される記録媒体に対して、ステープル処理等の後処理を行う装置である。後処理装置４の上面側には、差込みページ専用の給紙トレイ部であるＰＩトレイ部（ペーパーインサーショントレイ部）６が備えられている。ＰＩトレイ部６には、ユーザによって所定の用紙がセットされる。ユーザによってＰＩトレイ部６にセットされた所定の用紙は、後述する制御部９０（図３参照）による制御の下に、連続印刷の途中に適宜、後処理装置４内の用紙搬送路に送り込まれ、排紙トレイ部２８に出力される。
【００２０】
外部装置５は、例えば、パーソナルコンピュータ（ＰＣ）からなり、画像形成装置１に対して画像データを供給する。ここでは、外部装置５として、パーソナルコンピュータを例示したが、これに限定されるものではなく、例えばファクシミリ装置等その他各種の装置を適用することができる。
【００２１】
［画像形成装置の全体構成］
続いて、画像形成装置１の全体構成について、図２を用いて説明する。図２は、本発明の一実施形態に係る画像形成装置の各部のハードウェア構成の一例を示す全体構成図である。本実施形態では、複写機に適用する場合を例に挙げて説明する。
【００２２】
本実施形態に係る画像形成装置１は、静電気を用いて画像形成を行う電子写真方式を採用しており、イエロー（Ｙ）、マゼンダ（Ｍ）、シアン（Ｃ）およびブラック（Ｋ）の４色のトナーを重ね合わせるタンデム形式のカラー画像形成装置である。
【００２３】
図２に示すように、本実施形態に係る画像形成装置１は、原稿搬送部１０と、用紙収納部２０と、画像読取部３０と、画像形成部４０と、中間転写ベルト５０と、２次転写部６０と、定着部７０と、制御基板８０とを備える構成となっている。
【００２４】
本実施形態に係る画像形成装置１はさらに、図１に示す第１画像読取センサ１０１および第２画像読取センサ１０２を備える構成となっている。第１画像読取センサ１０１および第２画像読取センサ１０２については、図１では画像読取装置３に設けられた構成を例示しているが、ここでは、画像形成装置１の構成要素の一つとしている。
【００２５】
原稿搬送部１０は、原稿をセットする原稿給紙台１１と、複数のローラ１２と、搬送ドラム１３と、搬送ガイド１４と、原稿排出ローラ１５と、原稿排出トレイ１６とを有している。原稿給紙台１１にセットされた原稿Ｇは、複数のローラ１２および搬送ドラム１３によって、画像読取部３０の読取位置に１枚ずつ搬送される。搬送ガイド１４および原稿排出ローラ１５は、複数のローラ１２および搬送ドラム１３により搬送された原稿Ｇを原稿排出トレイ１６に排出する。
【００２６】
画像読取部３０は、原稿搬送部１０によって搬送された原稿Ｇまたは原稿台３１に載置された原稿の画像を読み取って、画像データを生成する。具体的には、原稿Ｇの画像がランプＬによって照射される。このランプＬからの照射光に基づく原稿Ｇからの反射光は、第１ミラーユニット３２、第２ミラーユニット３３、レンズユニット３４の順に導かれて、撮像素子３５の受光面に結像する。撮像素子３５は、入射した光を光電変換して所定の画像信号を出力する。撮像素子３５から出力された画像信号は、Ａ／Ｄ変換されることにより画像データとして生成される。
【００２７】
画像読取部３０には、画像処理部３６が設けられている。画像処理部３６は、画像読取部３０でＡ／Ｄ変換によって生成された画像データに、シェーディング補正やディザ処理、圧縮等の周知の画像処理を施して、制御基板８０に搭載された制御部９０のＲＡＭ９０３（図３参照）に格納する。なお、画像データは、画像読取部３０から出力されるデータに限定されず、画像形成装置１に接続されたパーソナルコンピュータや他の画像形成装置などの外部装置から受信したデータであってもよい。
【００２８】
用紙収納部２０は、装置本体の下部に配置されており、記録媒体の一例である用紙Ｓのサイズや種類に応じて複数設けられている。この用紙Ｓは、給紙部２１により給紙されて搬送部２３に送られ、搬送部２３によって転写位置である２次転写部６０に搬送される。また、用紙収納部２０の近傍には手差部２２が設けられている。この手差部２２からは、ユーザによってセットされる、用紙収納部２０に収納されていないサイズの用紙やタグを有するタグ紙、ＯＨＰシート等の特殊紙が転写位置へ送られる。
【００２９】
画像読取部３０と用紙収納部２０との間には、画像形成部４０と中間転写ベルト５０とが配置されている。画像形成部４０は、イエロー（Ｙ）、マゼンダ（Ｍ）、シアン（Ｃ）、ブラック（Ｋ）の各色のトナー像を形成するために、４つの画像形成ユニット４０Ｙ，４０Ｍ，４０Ｃ，４０Ｋを有する。
【００３０】
画像形成ユニット４０Ｙは、イエローのトナー像を形成し、画像形成ユニット４０Ｍは、マゼンダのトナー像を形成する。また、画像形成ユニット４０Ｃは、シアンのトナー像を形成し、画像形成ユニット４０Ｋは、ブラックのトナー像を形成する。これら４つの画像形成ユニット４０Ｙ，４０Ｍ，４０Ｃ，４０Ｋは、それぞれ同一の構成を有している。したがって、ここでは、イエローのトナー像を形成する画像形成ユニット４０Ｙについて説明する。
【００３１】
画像形成ユニット４０Ｙは、ドラム状の感光体（感光体トラム）４１と、感光体４１の周囲に配置された帯電部４２と、露光部４３と、現像部４４と、第１のクリーニング装置４５とを有している。感光体４１は、不図示の駆動モータによる駆動の下に回転する。帯電部４２は、感光体４１に電荷を与えることにより感光体４１の表面を一様に帯電する。露光部４３は、原稿Ｇから読み取られた画像データまたは外部装置から送信された画像データに基づいて、感光体４１の表面に対して露光を行うことにより感光体４１上に静電潜像を形成する。
【００３２】
現像部４４は、トナーとキャリアとからなる二成分現像剤を用いて、感光体４１上に形成された静電潜像を現像する。トナーは、画像を形成する粒子である。キャリアは、現像部４４内でのトナーとの混合において摩擦帯電によりトナーに適正な電荷を与える機能と、感光体４１と対向する現像領域にトナーを搬送する機能と、感光体４１上の静電潜像にトナーが忠実に現像できるように現像電界を形成する機能とを持っている。この現像部４４は、感光体４１に形成された静電潜像にイエローのトナーを付着させる。これにより、感光体４１の表面には、イエローのトナー像が形成される。
【００３３】
なお、画像形成ユニット４０Ｍの現像部４４は、画像形成ユニット４０Ｍの感光体４１にマゼンタのトナーを付着させる。画像形成ユニット４０Ｃの現像部４４は、画像形成ユニット４０Ｃの感光体４１にシアンのトナーを付着させる。画像形成ユニット４０Ｋの現像部４４は、画像形成ユニット４０Ｋの感光体４１にブラックのトナーを付着させる。
【００３４】
第１のクリーニング装置４５は、感光体４１上に付着したトナーを中間転写ベルト５０に転写した後に、感光体４１の表面をクリーニングする、具体的には感光体４１の表面に残留しているトナー（残留トナー）などの残留物（付着物）を除去する。
【００３５】
感光体４１上に付着したトナーは、中間転写ベルト５０に転写される。中間転写ベルト５０は、無端状に形成されており、複数のローラに掛け渡されている。この中間転写ベルト５０は、不図示の駆動モータによる駆動の下に、感光体４１の回転方向とは逆方向の時計回りに回転する。中間転写ベルト５０における各画像形成ユニット４０Ｙ，４０Ｍ，４０Ｃ，４０Ｋの感光体４１と対向する位置には、１次転写部５１が設けられている。
【００３６】
１次転写部５１は、中間転写ベルト５０にトナーと逆極性の電圧を印加させることで、感光体４１上に付着したトナーを中間転写ベルト５０に転写する。そして、中間転写ベルト５０が回転することで、４つの画像形成ユニット４０Ｙ，４０Ｍ，４０Ｃ，４０Ｋで形成されたトナー像が、中間転写ベルト５０の表面に順次転写される。これにより、中間転写ベルト５０上には、イエロー、マゼンダ、シアンおよびブラックのトナー像が重なり合うことによってカラー画像が形成される。
【００３７】
中間転写ベルト５０に対向して、第２のクリーニング装置５３が設けられている。第２のクリーニング装置５３は、中間転写ベルト５０に転写されたトナー像を用紙Ｓに転写した後に、中間転写ベルト５０の表面をクリーニングする、具体的には中間転写ベルト５０の表面に残留しているトナー（残留トナー）などの残留物（付着物）を除去する。
【００３８】
中間転写ベルト５０の近傍で、かつ搬送部２３の用紙搬送方向の下流側には、２次転写部６０が配置されている。この２次転写部６０は、中間転写ベルト５０が張架された転写上ローラ６１と、中間転写ベルト５０を挟んで転写上ローラ６１側に押圧された転写下ローラ６２とからなる転写ローラ対によって構成されており、搬送部２３によって送られてきた用紙Ｓを中間転写ベルト５０に接触させて、中間転写ベルト５０の外周面上に形成されたトナー像を用紙Ｓに転写する。
【００３９】
２次転写部６０における用紙Ｓの排出側には、定着部７０が設けられている。この定着部７０は、用紙Ｓを加圧および加熱して、転写されたトナー像を用紙Ｓに定着させる。定着部７０は、例えば、一対の定着部材である定着上ローラ７１および定着下ローラ７２によって構成されている。定着上ローラ７１および定着下ローラ７２は、互いに圧接した状態で配置されており、定着上ローラ７１と定着下ローラ７２との圧接部として定着ニップ部が形成される。
【００４０】
定着上ローラ７１の内部には、加熱部が設けられている。この加熱部からの輻射熱によって定着上ローラ７１のローラ部が温められる。そして、定着上ローラ７１のローラ部の熱が用紙Ｓへ伝達されることにより、用紙Ｓ上のトナー像が定着される。
【００４１】
用紙Ｓは、２次転写部６０によってトナー像が転写された面（定着対象面）が定着上ローラ７１と向き合うように搬送され、定着ニップ部を通過する。したがって、定着ニップ部を通過する用紙Ｓには、定着上ローラ７１と定着下ローラ７２とによる加圧と、定着上ローラ７１のローラ部の熱による加熱が行われる。
【００４２】
定着部７０の用紙Ｓの搬送方向の下流には、切換ゲート２４が配置されている。切換ゲート２４は、定着部７０を通過した用紙Ｓの搬送路を切り換える。すなわち、切換ゲート２４は、用紙Ｓの片面への画像形成におけるフェースアップ排紙を行う場合に、用紙Ｓを直進させる。これにより、用紙Ｓは、一対の排紙ローラ２５によって出力される。また、切換ゲート２４は、用紙Ｓの片面への画像形成におけるフェースダウン排紙を行う場合、および用紙Ｓの両面への画像形成を行う場合に、用紙Ｓを下方に案内する。
【００４３】
フェースダウン排紙を行う場合は、切換ゲート２４によって用紙Ｓを下方に案内した後に、用紙反転搬送部２６によって用紙Ｓの表裏を反転して上方に搬送する。これにより、表裏が反転された用紙Ｓは、一対の排紙ローラ２５によって出力される。用紙Ｓの両面への画像形成を行う場合は、切換ゲート２４によって用紙Ｓを下方に案内した後に、用紙反転搬送部２６によって用紙Ｓの表裏を反転する。そして、表裏が反転された用紙Ｓは、再給紙路２７によって再び転写位置へ送られる。
【００４４】
［画像形成装置の制御系の構成］
次に、画像形成装置１の制御系の構成について、図３を参照して説明する。図３は、画像形成装置１の制御系の構成の一例を示すブロック図である。
【００４５】
図３に示すように、画像形成装置１は、制御部９０を備えている。この制御部９０は、図２に示す制御基板８０上に構成されている。
【００４６】
制御部９０は、例えば、ＣＰＵ（Central Processing Unit）９０１と、ＣＰＵ９０１が実行するプログラム等を記憶するためのＲＯＭ（Read Only Memory）９０２と、ＣＰＵ９０１の作業領域として使用されるＲＡＭ（Random Access Memory）９０３とを有している。なお、ＲＯＭ９０２としては、例えば、電気的に消去可能なプログラマブルＲＯＭを用いることができる。
【００４７】
制御部９０は、画像読取部３０、画像処理部３６、画像形成部４０、定着部７０、ＰＩトレイ部６、操作表示部９１、ＨＤＤ（Hard Disk Drive）９２、通信部９３、第１画像読取センサ１０１および第２画像読取センサ１０２に対してシステムバス９４を介して接続され、画像形成装置１の全体を制御する。
【００４８】
具体的には、画像形成装置１では、制御部９０による制御の下に、以下の動作、処理が行われる。すなわち、画像読取部３０は、原稿Ｇまたは原稿台３１に載置された原稿の画像を読み取り、画像データを生成する。画像読取部３０で生成された画像データや、画像形成装置１に接続された外部装置から送信される画像データは、画像処理部３６に送られる。画像処理部３６は、受信した画像データに対して、必要に応じて、シェーディング補正、画像濃度調整、画像圧縮等の画像処理を行う。
【００４９】
画像形成部４０は、画像読取部３０で生成された画像データまたは外部装置から送信された画像データに基づいて、中間転写ベルト５０上にトナー画像を形成する。このトナー画像は、２次転写部６０にて、給紙部２１によって給紙される用紙Ｓに転写される。定着部７０は、用紙Ｓを加圧および加熱して、トナー画像を用紙Ｓに定着させる。ＰＩトレイ部６は、ユーザによってセットされた所定の用紙を、後処理装置４内の用紙搬送路に送り込む。
【００５０】
操作表示部９１は、例えば、液晶表示装置（ＬＣＤ）や有機ＥＬ（Electro Luminescence）表示装置などのパネル式表示装置と、タッチパッドなどの位置入力装置とを組み合わせたタッチパネルからなる。この操作表示部９１は、ユーザに対する指示メニューや取得した画像データに関する情報等を表示する。さらに、操作表示部９１は、複数のキーを備え、ユーザのキー操作による各種の指示、文字、数字などのデータの入力を受け付ける入力部としての役割を持つ。
【００５１】
ＨＤＤ９２は、画像読取部３０で読み取って得た原稿画像の画像データを記憶したり、出力済みの画像データ等を記憶したりする内部記憶装置である。通信部９３は、外部装置の一例であるクライアントＰＣ５から、通信回線Ｌを通して送信されるジョブ情報を受け取り、この受け取ったジョブ情報を、システムバス９４を介して制御部９０に送る。ジョブ情報には、形成する画像の画像データと、その画像データに対応付けられた使用する用紙の種類および枚数などの情報が含まれている。
【００５２】
第１画像読取センサ１０１は、定着部７０を経て供給される印刷後（画像形成後）の用紙Ｓの第１面の画像を、用紙Ｓの例えば下面側から読み取る。第２画像読取センサ１０２は、用紙Ｓの第２面の画像を、用紙Ｓの例えば上面側から読み取る。
【００５３】
［ヤレ紙（損紙）について］
上記構成の画像形成装置１において、経時的に定着部７０がトナーで汚れたり、用紙Ｓのジャムによって定着部７０にトナーが付着したりする場合があり、当該定着部７０を通過する用紙Ｓは、トナーの付着による汚れによってヤレ紙となる。また、表裏印刷において、画像形成位置がずれたり、経時的に画像濃度が変化したりする場合にも、その程度によっては、出力される用紙Ｓがヤレ紙となる。
【００５４】
このヤレ紙の発生については、制御部９０による制御の下に、第１画像読取センサ１０１および第２画像読取センサ１０２による読取結果に基づいて検知することができる。すなわち、制御部９０は、第１画像読取センサ１０１および第２画像読取センサ１０２による読取結果に基づいて、用紙Ｓの印刷面の画像が、トナーの付着による汚れや画像形成位置のずれなどによる異常画像の場合に当該用紙をヤレ紙として検知するヤレ紙検知部としての機能を持っている。
【００５５】
具体的には、制御部９０は、例えば、第１画像読取センサ１０１および第２画像読取センサ１０２が読み取って得た画像データを、ＨＤＤ９２に格納されている原稿画像の画像データと比較する。この画像データの比較により、印刷された画像が正常画像であるか異常画像（不良画像）であるか、より具体的には、印刷面がトナーの付着による汚れていないか、表裏印刷において、画像形成位置がずれたり、経時的に画像濃度が変化したりしていないかなど、印刷画像の異常（不良）を検出することができる。
【００５６】
そして、制御部９０は、印刷された画像が異常画像であり、その用紙をヤレ紙として検知したとき、ヤレ紙の印刷ジョブから再印刷を行うための制御を行う。また、制御部９０は、ヤレ紙の検知から再印刷を行うまでの間に出力される用紙中に正常画像の用紙が含まれる場合に、当該正常画像の用紙を印刷物として活用するための制御を行う。その詳細については後述する。
【００５７】
画像形成装置１では、制御部９０による制御の下に、ヤレ紙が発生したとき、例えば、印刷ジョブを停止し、ユーザにヤレ紙を除去してもらい、再スタートによってヤレ紙の印刷ジョブから再印刷を行うリカバリ動作が行われる。このとき、複数の印刷ジョブを連続して印刷する連続印刷の場合、ヤレ紙が発生したときからジョブ停止（再印刷）までの間に、ヤレ紙に連続する複数枚の用紙に対しても印刷が行われ、これらの複数枚の用紙もヤレ紙と共に排紙トレイに出力されることになる。
【００５８】
ヤレ紙検知時の処理動作としては、上述したように印刷ジョブを停止する停止パターンと、ヤレ紙検知後にヤレ紙の目印となる仕切り紙を挿入して、ヤレ紙の印刷ジョブから印刷を継続する継続パターンとがある。これらのパターンの処理動作の従来例について、以下に具体的に説明する。
【００５９】
（停止パターン）
図４は、ヤレ紙検知時の従来例に係る停止パターンの処理動作の説明図である。停止パターンでは、例えば２枚目の用紙Ｐ２でヤレ紙を検知すると、その検知タイミングから一定時間後に印刷ジョブを停止する。このとき、ヤレ紙Ｐ２の検知タイミングからジョブ停止までの間に、ヤレ紙Ｐ２に連続する複数枚の用紙、本例では３枚の用紙Ｐ３〜Ｐ５に対しても印刷が行われ、その後、排紙トレイ部２８に出力される。
【００６０】
印刷ジョブを停止したとき、例えば、操作表示部９１にヤレ紙を検知した旨のメッセージを表示することにより、このメッセージを受けてユーザは、ヤレ紙Ｐ２およびそれに連続する用紙Ｐ３〜Ｐ５を排紙トレイ部２８より除去する。その後、再スタートによってヤレ紙の印刷ジョブからリカバリ動作が行われる。リカバリ動作においては、再印刷が行われる用紙Ｐ２に連続する用紙Ｐ３〜Ｐ５に対しても再印刷が行われる。
【００６１】
すなわち、再スタートによるリカバリ動作によって、ヤレ紙Ｐ２を検知したときに排紙トレイ部２８に出力された用紙Ｐ３〜Ｐ５と同じ印刷物が、再印刷後の用紙Ｐ２に連続する用紙Ｐ３〜Ｐ５として重複して出力されることになる。その結果、ヤレ紙Ｐ２を検知したときに排紙トレイ部２８に出力された用紙Ｐ３〜Ｐ５が正常な印刷物である場合に、これらの用紙Ｐ３〜Ｐ５が無駄になってしまう。換言すれば、用紙Ｐ３〜Ｐ５の３枚分の用紙が無駄に消費されることになる。
【００６２】
（継続パターン）
図５は、ヤレ紙検知時の従来例に係る継続パターンの処理動作の説明図である。継続パターンでは、例えば２枚目の用紙Ｐ２でヤレ紙を検知すると、その検知タイミングから一定時間後に、ヤレ紙の印刷ジョブからリカバリ動作が行われる。このとき、リカバリ動作が行われる用紙Ｐ２の前に、例えば用紙Ｐ２等よりも大きいサイズの仕切り紙Ｑが挿入される。仕切り紙Ｑは、例えば画像形成装置本体内の複数の用紙収納部２０のうちの一つ、または給紙装置２内の複数の給紙トレイのうちの一つに収納されている。
【００６３】
仕切り紙Ｑは、排紙トレイ部２８からの用紙の除去枚数が画像形成部４０で印刷された後、ヤレ紙の印刷ジョブが再印刷される用紙Ｐ２に先立って、ヤレ紙の目印として排紙トレイ部２８に出力される。仕切り紙Ｑの挿入後、ヤレ紙の印刷ジョブから再印刷を行うリカバリ動作が行われる。このとき、リカバリ動作が行われる用紙Ｐ２に連続する用紙Ｐ３〜Ｐ５に対しても印刷が行われる。そして、複数の印刷ジョブを連続して印刷する連続印刷のジョブ完了後、ユーザは、仕切り紙Ｑに印刷された指定枚数（本例の場合、４枚）の用紙Ｐ２〜Ｐ５を排紙トレイ部２８から取り除くことになる。
【００６４】
上述した従来例に係る継続パターンの処理動作では、仕切り紙Ｑの挿入後のリカバリ動作によって、ヤレ紙Ｐ２を検知したときに排紙トレイ部２８に出力された用紙Ｐ３〜Ｐ５と同じ印刷物が、再印刷後の用紙Ｐ２に連続する用紙Ｐ３〜Ｐ５として重複して出力されることになる。したがって、停止パターンの場合と同様に、ヤレ紙Ｐ２を検知したときに排紙トレイ部２８に出力された用紙Ｐ３〜Ｐ５が正常な印刷物である場合に、用紙Ｐ３〜Ｐ５の３枚分の用紙が無駄に消費されることになる。
【００６５】
そこで、本実施形態に係る画像形成装置１では、ヤレ紙が発生した後に出力される用紙中、即ちヤレ紙の発生からジョブ停止（または、リカバリ動作の開始）までの間に出力される用紙中に、正常な印刷物（正常画像の用紙）が存在する場合に、当該印刷物を無駄にしないようにするリカバリ動作を実現する。より具体的には、本実施形態に係るリカバリ動作では、ヤレ紙の印刷ジョブのみを再印刷し、正常な印刷物の印刷ジョブについては、再印刷を行わないようにする。
【００６６】
以下に、本実施形態に係るリカバリ動作を実現するための具体的な実施例について説明する。なお、各実施例におけるリカバリ動作は、制御部９０（図３参照）による制御の下に実行される。
【００６７】
［実施例１］
実施例１は、ヤレ紙に連続する用紙（ヤレ紙の後続紙）が正常画像の用紙（以下、「正常紙」と記述する場合がある）である場合の停止パターンの例である。図６は、ヤレ紙検知時の実施例１に係る停止パターンの処理動作の一例の説明図である。ここでは、一例として、２枚目の用紙Ｐ２でヤレ紙を検知し、当該ヤレ紙に連続する３枚の用紙Ｐ３〜Ｐ５が正常紙である場合を例に挙げている。ヤレ紙の検知後も、用紙Ｐ３〜Ｐ５の画像を読み取ることによって正常紙（正常画像の用紙）であるかヤレ紙（異常画像の用紙）であるかの識別が行われる。
【００６８】
ヤレ紙の検知後に出力される用紙の枚数（あるいは、ヤレ紙検知から再印刷（リカバリ動作）までの一定時間／ページ数）は、ヤレ紙の検知タイミングと、画像形成装置本体内の用紙収納部２０または給紙装置２（共に図１参照）からの画像形成位置までの給紙経路の距離で決まる。以下の実施例においても同様である。
【００６９】
実施例１では、２枚目の用紙Ｐ２をヤレ紙として検知すると、その検知タイミングから３枚の用紙Ｐ３〜Ｐ５を正常紙として出力した後印刷ジョブを停止する。印刷ジョブを停止したとき、例えば、「用紙Ｐ２〜Ｐ５を排紙トレイから除去して下さい。」というメッセージを操作表示部９１に表示する。このメッセージを受けてユーザは、ヤレ紙Ｐ２およびそれに連続する用紙Ｐ３〜Ｐ５を排紙トレイ部２８より除去する。
【００７０】
その後、ユーザによるスタート釦の押下によって再スタートし、ヤレ紙の印刷ジョブの再印刷を行い、用紙Ｐ２として排紙トレイ部２８に出力した後、印刷ジョブを再度停止する。そして、例えば、「取り除いた用紙Ｐ３〜Ｐ５を排紙トレイにセットして下さい。」というメッセージを操作表示部９１に表示する。このメッセージを受けてユーザは、先に取り除いた用紙Ｐ２〜Ｐ５のうち、ヤレ紙Ｐ２を除く用紙Ｐ３〜Ｐ５を排紙トレイ部２８にセットし、スタート釦の押下によって再スタートする。その後は、用紙Ｐ６から通常通り連続印刷を行う。
【００７１】
上述した実施例１に係る停止パターンの処理動作によれば、ヤレ紙Ｐ２を検知したときに排紙トレイ部２８に出力された用紙Ｐ３〜Ｐ５と同じ印刷物が、リカバリ動作後の用紙Ｐ２に連続する用紙Ｐ３〜Ｐ５として重複して出力されることがない。したがって、正常紙Ｐ３〜Ｐ５を破棄せずに、正常な印刷物として活用（再利用）できるため、Ｐ３〜Ｐ５の３枚分の用紙の無駄な消費をなくすことができる。
【００７２】
［実施例２］
実施例２は、ヤレ紙に連続する用紙中にヤレ紙と正常紙とが混在する場合の停止パターンの例である。図７は、ヤレ紙検知時の実施例２に係る停止パターンの処理動作の一例の説明図である。ここでは、一例として、２枚目の用紙Ｐ２でヤレ紙を検知し、当該ヤレ紙に連続する３枚の用紙Ｐ３〜Ｐ５において、３枚目の用紙Ｐ３が正常紙、４枚目の用紙Ｐ４がヤレ紙、５枚目の用紙Ｐ５が正常紙である場合を例に挙げている。
【００７３】
実施例２では、用紙Ｐ２をヤレ紙として検知し、用紙Ｐ３を正常紙、用紙Ｐ４をヤレ紙、用紙Ｐ５を正常紙として出力した後、印刷ジョブを停止する。このとき、例えば、「用紙Ｐ２〜Ｐ５を排紙トレイから除去して下さい。」というメッセージを表示操作部９１に表示する。このメッセージを受けてユーザは、ヤレ紙Ｐ２およびそれに連続する用紙Ｐ３〜Ｐ５を排紙トレイ部２８より除去する。
【００７４】
次に、ユーザによるスタート釦の押下によって再スタートし、ヤレ紙の印刷ジョブを再印刷し、用紙Ｐ２として排紙トレイ部２８に出力した後、印刷ジョブを再度停止する。このとき、例えば、「取り除いた用紙Ｐ３を排紙トレイにセットして下さい。」というメッセージを操作表示部９１に表示する。このメッセージを受けてユーザは、先に取り除いた用紙Ｐ２〜Ｐ５のうち、正常紙である用紙Ｐ３を排紙トレイ部２８にセットし、スタート釦の押下によって再スタートする。
【００７５】
次に、再スタートによる再印刷によって用紙Ｐ４として排紙トレイ部２８に出力し、しかる後印刷ジョブを再度停止する。このとき、例えば、「取り除いた用紙Ｐ５を排紙トレイにセットして下さい。」というメッセージを操作表示部９１に表示する。このメッセージを受けてユーザは、先に取り除いた正常紙である用紙Ｐ５を排紙トレイ部２８にセットし、スタート釦の押下によって再スタートする。その後は、用紙Ｐ６から通常通り連続印刷を行う。
【００７６】
上述した実施例２に係る停止パターンの処理動作によれば、再印刷およびユーザによる正常紙のセットの繰り返しによって、排紙トレイ部２８に用紙Ｐ１に続いて、ヤレ紙検知後の各用紙Ｐ２〜Ｐ５が正常紙として順番に出力される。しかも、ヤレ紙Ｐ２を検知したときに排紙トレイ部２８に出力された正常紙Ｐ３，Ｐ５と同じ印刷物が、リカバリ動作によって重複して出力されることがない。したがって、正常紙Ｐ３，Ｐ５を破棄せずに、正常な印刷物として活用（再利用）できるため、Ｐ３，Ｐ５の２枚分の用紙の無駄な消費をなくすことができる。
【００７７】
［実施例３］
実施例３は、実施例２と同様に、ヤレ紙に連続する用紙中にヤレ紙と正常紙とが混在する場合の停止パターンの例である。図８は、ヤレ紙検知時の実施例３に係る停止パターンの処理動作の一例の説明図である。ここでも、２枚目の用紙Ｐ２をヤレ紙として検知し、当該ヤレ紙に連続する３枚の用紙Ｐ３〜Ｐ５において、３枚目の用紙Ｐ３が正常紙、４枚目の用紙Ｐ４がヤレ紙、５枚目の用紙Ｐ５が正常紙である場合を例に挙げている。
【００７８】
実施例３では、用紙Ｐ２をヤレ紙として検知した後、用紙Ｐ３を正常紙として、用紙Ｐ４をヤレ紙として、用紙Ｐ５を正常紙として出力し、印刷ジョブを停止する。このとき、例えば、「用紙Ｐ２〜Ｐ５を排紙トレイから除去し、用紙Ｐ３，Ｐ５をＰＩトレイにセットして下さい。」というメッセージを操作表示部９１に表示する。このメッセージを受けてユーザは、ヤレ紙Ｐ２およびそれに連続する用紙Ｐ３〜Ｐ５を排紙トレイ部２８より除去し、そのうち、正常紙である用紙Ｐ３，Ｐ５をＰＩトレイ部６にセットし、しかる後、スタート釦の押下によって再スタートする。
【００７９】
その後、再印刷によって用紙Ｐ２を出力し、次いで、ＰＩトレイ部６からの給紙によって正常紙である用紙Ｐ３を出力し、次いで、再印刷によって用紙Ｐ４を出力し、次いで、ＰＩトレイ部６からの給紙によって正常紙である用紙Ｐ５を出力し、以降、用紙Ｐ６から通常通り連続印刷を行う。これらの一連の処理動作は、制御部９０による制御の下に実行される。
【００８０】
上述した実施例３に係る停止パターンの処理動作によれば、再印刷およびＰＩトレイ部６からの給紙の繰り返しによって、排紙トレイ部２８に用紙Ｐ１に続いて、ヤレ紙検知後の各用紙Ｐ２〜Ｐ５が正常紙として順番に出力される。しかも、ヤレ紙Ｐ２を検知したときに排紙トレイ部２８に出力された正常紙Ｐ３，Ｐ５と同じ印刷物が、リカバリ動作によって重複して出力されることがない。したがって、正常紙Ｐ３，Ｐ５を破棄せずに、正常な印刷物として活用（再利用）できるため、Ｐ３，Ｐ５の２枚分の用紙の無駄な消費をなくすことができる。
【００８１】
［実施例４］
実施例４は、ヤレ紙に連続する用紙が正常紙である場合の継続パターンの例である。図９は、ヤレ紙検知時の実施例４に係る継続パターンの処理動作の一例の説明図である。ここでも、実施例１と同様に、２枚目の用紙Ｐ２でヤレ紙を検知し、当該ヤレ紙に連続する３枚の用紙Ｐ３〜Ｐ５が正常紙（正常画像の用紙）である場合を例に挙げている。
【００８２】
実施例４では、２枚目の用紙Ｐ２をヤレ紙として検知すると、その検知から一定時間後に、ヤレ紙の印刷ジョブから再印刷（リカバリ動作）が行われる。このとき、再印刷が行われる用紙Ｐ２の前に（即ち、正常紙Ｐ５の後ろに）、例えば用紙Ｐ２等よりも大きいサイズの仕切り紙Ｑがヤレ紙の目印として挿入される。仕切り紙Ｑには、排紙トレイ部２８から取り除く用紙（ヤレ紙Ｐ２）と、挿入する用紙のページ（正常紙Ｐ３〜Ｐ５）をユーザに対して通知する内容、例えば、「用紙Ｐ２を排紙トレイから除去し、用紙Ｐ３〜Ｐ５を後続の用紙Ｐ２の後に挿入して下さい。」というメッセージが印刷される。
【００８３】
仕切り紙Ｑの挿入後、再印刷によって用紙Ｐ２を出力し、以降、用紙Ｐ６から通常通り連続印刷を行う。連続印刷の終了後、ユーザは、仕切り紙Ｑによってヤレ紙Ｐ２の位置を特定し、仕切り紙Ｑに印刷されているメッセージに沿って、ヤレ紙Ｐ２を除去するとともに、ヤレ紙Ｐ２から仕切り紙Ｑまでの間の正常紙Ｐ３〜Ｐ５を、再印刷後の用紙Ｐ２の後に挿入する処理を行うことになる。
【００８４】
上述した実施例４に係る継続パターンの処理動作によれば、ヤレ紙が発生した場合、リカバリ動作の際に仕切り紙Ｑを挿入し、ヤレ紙の位置を明確にするとともに、正常紙の挿入箇所をメッセージにてユーザに通知し、ヤレ紙の印刷ジョブのみ再印刷を行うため、ヤレ紙のみを除去することができる。すなわち、ヤレ紙Ｐ２を検知したときに排紙トレイ部２８に出力された用紙Ｐ３〜Ｐ５と同じ印刷物が、リカバリ動作後の用紙Ｐ２に連続する用紙Ｐ３〜Ｐ５として重複して出力されることがない。したがって、正常紙Ｐ３〜Ｐ５を破棄せずに、正常な印刷物として活用（再利用）できるため、Ｐ３〜Ｐ５の３枚分の用紙の無駄な消費をなくすことができる。
【００８５】
なお、本実施例では、ヤレ紙の目印として挿入される仕切り紙Ｑに、排紙トレイ部２８から取り除く用紙と、挿入する用紙のページを通知する内容を印刷するとしたが、例えば取り除く用紙の画像を印刷するようにすることも可能である。
【００８６】
［実施例５］
実施例５は、ヤレ紙に連続する用紙が正常紙である場合の停止パターンであって、除去する用紙をサムネイル表示する例である。図１０は、ヤレ紙検知時の実施例５に係る停止パターンの処理動作の一例の説明図である。
【００８７】
実施例５では、２枚目の用紙Ｐ２でヤレ紙を検知すると、その検知タイミングから３枚の用紙Ｐ３〜Ｐ５が正常紙として出力した後に印刷ジョブを停止する。印刷ジョブを停止したとき、例えば、「用紙Ｐ２〜Ｐ５を排紙トレイから除去して下さい。スタート釦押下で下記の画像を再印刷します。」というメッセージと共に、排紙トレイ部２８より除去する用紙Ｐ２のサムネイル画像を操作表示部９１に表示する。
【００８８】
用紙Ｐ２のサムネイル画像の表示については、第１画像読取センサ１０１および第２画像読取センサ１０２で読み取った画像データを用いてもよいし、ＨＤＤ９２に格納してある印刷前の画像データを用いてもよい。
【００８９】
操作表示部９１の表示を受けてユーザは、ヤレ紙Ｐ２およびそれに連続する用紙Ｐ３〜Ｐ５を排紙トレイ部２８より除去する。その後、ユーザによるスタート釦の押下によって再スタートし、ヤレ紙の印刷ジョブの再印刷を行い、用紙Ｐ２として排紙トレイ部２８に出力した後印刷ジョブを再度停止する。
【００９０】
そして、例えば、「用紙Ｐ３〜Ｐ５を排紙トレイにセットして下さい。スタート釦押下で下記の画像から印刷します。」というメッセージと共に、用紙Ｐ６のサムネイル画像を操作表示部９１に表示する。この表示を受けてユーザは、先に取り除いた用紙Ｐ２〜Ｐ５のうち、ヤレ紙Ｐ２を除く用紙Ｐ３〜Ｐ５を排紙トレイ部２８にセットし、スタート釦の押下によって再スタートする。その後は、用紙Ｐ６から通常通り連続印刷を行う。
【００９１】
上述した実施例５に係る停止パターンの処理動作によれば、実施例１の場合と同様の作用、効果を得ることができる。すなわち、ヤレ紙Ｐ２を検知したときに排紙トレイ部２８に出力された用紙Ｐ３〜Ｐ５と同じ印刷物が、リカバリ動作後の用紙Ｐ２に連続する用紙Ｐ３〜Ｐ５として重複して出力されることがない。したがって、正常紙Ｐ３〜Ｐ５を破棄せずに、正常な印刷物として活用（再利用）できるため、Ｐ３〜Ｐ５の３枚分の用紙の無駄な消費をなくすことができる。
【００９２】
さらに、実施例５に係る停止パターンの処理動作によれば、排紙トレイ部２８より除去するヤレ紙Ｐ２のサムネイル画像を操作表示部９１にメッセージと共に表示することで、ユーザは、排紙トレイ部２８より除去すべき用紙を視覚的に認識することができるため、ユーザによる誤操作を防ぐことができる。
【００９３】
［実施例６］
実施例６は、本実施形態に係る画像形成装置１において、上記実施例１乃至実施例５に係る処理動作を実現する画像形成方法の例である。図１１は、実施例６に係る画像形成方法の制御の流れの一例を示すフローチャートである。このフローチャートに沿った一連の処理は、制御部９０（より具体的には、ＣＰＵ９０１）による制御の下に実行される。
【００９４】
印刷動作が開始されると、制御部９０は、先ず、ヤレ紙を検知したか否かを判断し（ステップＳ１１）、ヤレ紙を検知したのであれば（Ｓ１１のＹＥＳ）、継続パターンの設定であるか否かを判断する（ステップＳ１２）。継続パターンの設定であれば（Ｓ１２のＹＥＳ）、制御部９０は、ヤレ紙の検知から再印刷を行うまでの間に出力される用紙の枚数（ページ数）Ｎを取得し（ステップＳ１３）、次いで、当該用紙の枚数Ｎを除去枚数Ｎとして印刷した仕切り紙Ｑをヤレ紙の目印として挿入し（ステップＳ１４）、ヤレ紙の印刷ジョブから再印刷を開始する（ステップＳ１５）。
【００９５】
再印刷開始後、制御部９０は、複数の印刷ジョブを連続して印刷する連続印刷のジョブが終了したか否かを判断し（ステップＳ１６）、終了していなければ（Ｓ１６のＮＯ）、ステップＳ１１に戻り、終了していれば（Ｓ１６のＹＥＳ）、画像形成（印刷）のための一連の処理を終了する。
【００９６】
ステップＳ１１において、ヤレ紙を検知していなければ（Ｓ１１のＮＯ）、制御部９０は、印刷動作を継続し（ステップＳ１７）、ステップＳ１６に移行して、連続印刷のジョブが終了したか否かを判断する。
【００９７】
ステップＳ１２において、継続パターンの設定でなければ（Ｓ１２のＮＯ）、停止パターンの設定であることから、制御部９０は、排紙トレイ部２８から除去する用紙と再印刷する用紙のサムネイル画像を表示し（ステップＳ１８）、次いで、印刷ジョブを停止する（ステップＳ１９）。
【００９８】
次に、制御部９０は、印刷ページをＭページ戻し（ステップＳ２０）、次いで、ユーザによってスタート釦の押下を待ち（ステップＳ２１）、スタート釦が押下されると（Ｓ２１のＹＥＳ）、正常紙の再利用か否か（正常紙を正常な印刷物として活用するか否か）を判断する（ステップＳ２２）。正常紙の再利用であれば（Ｓ２２のＹＥＳ）、制御部９０は、ヤレ紙の印刷ジョブの再印刷を実施する（ステップＳ２３）。
【００９９】
次に、制御部９０は、ヤレ紙検知に伴うリカバリ動作が完了したか否か、即ちステップＳ２０で戻したＭページの印刷が完了したか否かを判断し（ステップＳ２４）、リカバリ動作が完了したのであれば（Ｓ２４のＹＥＳ）、ステップＳ１６に移行して、連続印刷のジョブが終了したか否かを判断する。
【０１００】
リカバリ動作が完了していなければ（Ｓ２４のＮＯ）、制御部９０は、次ページが正常紙か否かを判断し（ステップＳ２５）、正常紙であれば（Ｓ２５のＹＥＳ）、ＰＩトレイ部６より給紙し（ステップＳ２６）、正常紙でなければ（Ｓ２５のＮＯ）、次ページの印刷を実施する（ステップＳ２７）。ステップＳ２６およびステップＳ２７の処理後、ステップＳ１６に移行して、連続印刷のジョブが終了したか否かを判断する。
【０１０１】
ステップＳ２２の判断処理において、正常紙の再利用でなければ（Ｓ２２のＮＯ）、制御部９０は、次ページの印刷を実施し（ステップＳ２８）、しかる後ステップＳ１６に移行して、連続印刷のジョブが終了したか否かを判断する。
【０１０２】
［変形例］
以上、本発明について実施形態を用いて説明したが、本発明は上記実施形態に記載の範囲には限定されない。すなわち、本発明の要旨を逸脱しない範囲内で上記実施形態に多様な変更または改良を加えることができ、そのような変更または改良を加えた形態も本発明の技術的範囲に含まれる。
【０１０３】
例えば、上記実施形態では、本発明の一実施形態に係る画像形成装置１として複写機を例に挙げたが、この適用例に限られるものではない。すなわち、本発明は、複写機の他、プリンタ装置、ファクシミリ装置、印刷機、複合機など、電子写真方式の画像形成装置全般に対して適用可能である。
【符号の説明】
【０１０４】
１…画像形成装置、  ２…給紙装置、  ３…画像読取装置、  ４…後処理装置、  ５…外部装置、  ６…ＰＩトレイ部、  １０…原稿搬送部、  ２０…用紙収納部、  ３０…画像読取部、  ４０…画像形成部、  ５０…中間転写ベルト、  ６０…２次転写部、  ７０…定着部、  ９０…制御部、  ９１…操作表示部、  １００…画像形成システム、  １０１…第１画像読取センサ、  １０２…第２画像読取センサ
【図１】
2018194580.tif 000003
【図２】
2018194580.tif 000004
【図３】
2018194580.tif 000005
【図４】
2018194580.tif 000006
【図５】
2018194580.tif 000007
【図６】
2018194580.tif 000008
【図７】
2018194580.tif 000009
【図８】
2018194580.tif 000010
【図９】
2018194580.tif 000011
【図１０】
2018194580.tif 000012
【図１１】
2018194580.tif 000013